(57)【要約】【課題】  臥床架上に寝かされている児がガード用壁部を内側から外側に向かって押しても、ガード用壁部が外側に向かって移動させられる恐れが特にない保育器を提供する。【解決手段】  ガード用壁部３３、３４、３５に設けられた取り付け用突出部６１が臥床架１６の外周囲の付近に設けられた取り付け用凹部７２に係合することができ、取り付け用突出部６１と取り付け用凹部７２とのうちのいずれか１方に、係合用突起部７７が設けられるとともに、他方に、係合用突起部７７を係合させることができる係合用穴部７１が設けられている。【選択図】図６
2017093501.tif 000002
【特許請求の範囲】
【請求項１】
その上に児を寝かせることができる臥床架と、上記臥床架の外周囲の付近の少なくとも一部分を囲むことができる少なくとも１つのガード用壁部とを備え、
上記ガード用壁部の少なくとも１つが、少なくとも１つの第１の取り付け用突出部と、少なくとも１つの第２の取り付け用突出部とを備え、
上記臥床架が、上記少なくとも１つの第１の取り付け用突出部を係合させるための少なくとも１つの第１の取り付け用凹部と、上記少なくとも１つの第２の取り付け用突出部を係合させるための少なくとも１つの第２の取り付け用凹部とを備え、
上記第１の取り付け用突出部と、上記第１の取り付け用突出部を係合させるための上記第１の取り付け用凹部とのうちのいずれか一方に、係合用突起部が設けられるとともに、他方に、上記係合用突起部を係合させることができる係合用穴部が設けられていることを特徴とする保育器。
【請求項２】
上記少なくとも１つのガード用壁部が、前側のガード用壁部、左側のガード用壁部および右側のガード用壁部であることを特徴とする請求項１に記載の保育器。
【請求項３】
上記少なくとも１つの第１の取り付け用突出部が、１つであり、
上記少なくとも１つの第１の取り付け用凹部が、１つであり、
上記少なくとも１つの第２の取り付け用突出部が２つであり、
上記少なくとも１つの第２の取り付け用凹部が、２つであることを特徴とする請求項１または２に記載の保育器。
【請求項４】
上記第１の取り付け用凹部および上記第２の取り付け用凹部のそれぞれが、上記臥床架の外周囲の外側面に配設されていることを特徴とする請求項１、２または３に記載の保育器。
【請求項５】
上記少なくとも１つの第２の取り付け用突出部が上記第２の取り付け用凹部からほぼ側方に向かって抜け出すのを防止するためのくびれ部が、上記第２の取り付け用凹部に設けられていることを特徴とする請求項１〜４のうちのいずれか１つに記載の保育器。
【請求項６】
上記臥床架が、側壁部を備え、
上記側壁部の内側面に当接させることができる下垂部を有する少なくとも１つの第３の取り付け用突出部をさらに備えていることを特徴とする請求項１〜５のうちのいずれか１つに記載の保育器。
【請求項７】
上記少なくとも１つの第３の取り付け用突出部が、２つであることを特徴とする請求項６に記載の保育器。
【請求項８】
上記前側のガード用壁部よりも外側に設けられた前側のガード用外側壁部と、上記左側のガード用壁部よりも外側に設けられた左側のガード用外側壁部と、上記右側のガード用壁部よりも外側に設けられた右側のガード用外側壁部と、上記前側のガード用外側壁部、上記左側のガード用外側壁部および上記右側のガード用外側壁部と共同して、ほぼ直方体形状の児収容空間を構成することができる後側のガード用外側壁部とをさらに備え、
上記前側のガード用壁部、左側のガード用壁部および右側のガード用壁部のそれぞれが、上記前側のガード用外側壁部、上記左側のガード用外側壁部および上記右側のガード用外側壁部のそれぞれの内側に設けられ、
上記前側のガード用外側壁部、上記左側のガード用外側壁部および上記右側のガード用外側壁部のそれぞれが、ほぼ上方に向ってほぼ直立した状態と、ほぼ上方に向ってほぼ直立していない状態との間を個別に往復回動することができるように構成されていることを特徴とする請求項２〜７のうちのいずれか１つに記載の保育器。
【請求項９】
上記保育器が、開放型保育器であることを特徴とする請求項１〜８のうちのいずれか１つに記載の保育器。
【発明の詳細な説明】
【技術分野】
【０００１】
本発明は、その上に児を寝かせることができる臥床架と、上記臥床架の外周囲の付近の少なくとも一部分を囲むことができる少なくとも１つのガード用壁部とを備えている保育器に関するものである。
【背景技術】
【０００２】
特許文献１に開示されている保育器（以下、「特許文献１の保育器」という。）においては、扁平な容器形状の臥床架が保育器基台上に配設されている。また、児の頭側の壁部を一般的に構成している固定壁部（いわゆる、固定型ベビーガード）と、児の脚側の壁部を一般的に構成している脚側の可動壁部（いわゆる、可動型ベビーガード）と、児の左側の壁部を一般的に構成している左側の可動壁部（いわゆる、可動型ベビーガード）と、児の右側の壁部を一般的に構成している右側の可動壁部（いわゆる、可動型ベビーガード）とが、平面的に見て全体としてほぼ長方形状になるように、保育器基台にそれぞれ配設されている。そして、臥床架（換言すれば、この臥床架上のマットレス）と、それぞれほぼ長方形状であってよくかつほぼ透明であってよい１枚の固定型ベビーガードおよび３枚の可動型ベビーガードとによって、上面が開口したほぼ直方体形状の児収容空間が構成されている。また、３枚の可動型ベビーガードおよび１枚の固定型ベビーガードのそれぞれは、そのほぼ全体をほぼ透明なプラスチック板から構成されている。そして、３枚の可動型ベビーガードのそれぞれは、ほぼ上方に向ってほぼ直立した状態（以下、「上記直立状態」という。）における下辺側の部分の付近に配設された左右両側または前後両側の回動支軸を回動中心として、上記直立状態とほぼ下方に垂れ下がった状態（以下、「上記下垂状態」という。）との間を往復回動可能なように、構成されている。
【特許文献１】特開２０１２−２２３３２０号公報
【発明の開示】
【発明が解決しようとする課題】
【０００３】
しかし、特許文献１の保育器においては、臥床架上に配置されているマットレス上に新生児などの児を寝かせた状態において、取扱者などが、脚側の可動型ベビーガード、左側の可動型ベビーガードおよび右側の可動型ベビーガードのうちの少なくとも１枚の可動型ベビーガードを上記下垂状態にすることがある。この場合、児の脚側、左側および右側のうちの少なくとも１つの側には上記ベビーガードが存在しなくなるために、児が自分の腕や脚を臥床架から食み出させることがあり、極端な場合には、児が臥床架から食み出すぎて保育器の外側に落下する恐れまで生じる。
【０００４】
本発明は、特許文献１の保育器における上述のような欠点を比較的簡単な構成でもって効果的に解決するようにしたものである。
【特許文献１】特開２０１２−２２３３２０号公報
【課題を解決するための手段】
【０００５】
本発明は、その上に児を寝かせることができる臥床架と、上記臥床架の外周囲の付近の少なくとも一部分を囲むことができる少なくとも１つのガード用壁部とを備え、上記ガード用壁部の少なくとも１つが、少なくとも１つの第１の取り付け用突出部と、少なくとも１つの第２の取り付け用突出部とを備え、上記臥床架が、上記少なくとも１つの第１の取り付け用突出部を係合させるための少なくとも１つの第１の取り付け用凹部と、上記少なくとも１つの第２の取り付け用突出部を係合させるための少なくとも１つの第２の取り付け用凹部とを備え、上記第１の取り付け用突出部と、上記第１の取り付け用突出部を係合させるための上記第１の取り付け用凹部とのうちのいずれか一方に、係合用突起部が設けられるとともに、他方に、上記係合用突起部を係合させることができる係合用穴部が設けられていることを特徴とする保育器に係るものである。
【０００６】
また、本発明は、その第１の観点においては、上記少なくとも１つのガード用壁部が、前側のガード用壁部、左側のガード用壁部および右側のガード用壁部である。そして、本発明は、その第２の観点においては、上記少なくとも１つの第１の取り付け用突出部が、１つであり、上記少なくとも１つの第１の取り付け用凹部が、１つであり、上記少なくとも１つの第２の取り付け用突出部が２つであり、上記少なくとも１つの第２の取り付け用凹部が、２つである。
【０００７】
また、本発明は、その第３の観点においては、上記第１の取り付け用凹部および上記第２の取り付け用凹部のそれぞれが、上記臥床架の外周囲の外側面に配設されている。そして、本発明は、その第４の観点においては、上記少なくとも１つの第２の取り付け用突出部が上記第２の取り付け用凹部からほぼ側方に向かって抜け出すのを防止するためのくびれ部が、上記第２の取り付け用凹部に設けられている。さらに、本発明は、その第５の観点においては、上記臥床架が、側壁部を備え、上記側壁部の内側面に当接させることができる下垂部を有する少なくとも１つの第３の取り付け用突出部をさらに備えている。さらに、本発明は、上記第５の観点の第１の態様においては、上記少なくとも１つの第３の取り付け用突出部が、２つである。
【０００８】
また、本発明は、上記第１の観点の第１の態様においては、上記前側のガード用壁部よりも外側に設けられた前側のガード用外側壁部と、上記左側のガード用壁部よりも外側に設けられた左側のガード用外側壁部と、上記右側のガード用壁部よりも外側に設けられた右側のガード用外側壁部と、上記前側のガード用外側壁部、上記左側のガード用外側壁部および上記右側のガード用外側壁部と共同して、ほぼ直方体形状の児収容空間を構成することができる後側のガード用外側壁部とをさらに備え、上記前側のガード用壁部、左側のガード用壁部および右側のガード用壁部のそれぞれが、上記前側のガード用外側壁部、上記左側のガード用外側壁部および上記右側のガード用外側壁部のそれぞれの内側に設けられ、上記前側のガード用外側壁部、上記左側のガード用外側壁部および上記右側のガード用外側壁部のそれぞれが、ほぼ上方に向ってほぼ直立した状態と、ほぼ上方に向ってほぼ直立していない状態との間を個別に往復回動することができるように構成されている。
【０００９】
さらに、本発明は、その第６の観点においては、上記保育器が、開放型保育器である。
【発明の効果】
【００１０】
請求項１に係る発明によれば、臥床架上に寝かされている児が自分の手で少なくとも１つのガード用壁部を内側から外側に向って押しても、上記ガード用壁部が外側に向って移動させられる恐れが特にない。したがって、児が上記ガード用壁部を倒すことによって、自分の腕や脚を臥床架から食み出させたり、児が臥床架から食み出しすぎて保育器の外側に落下したりする恐れが特にない。
【００１１】
また、請求項２に係る発明によれば、請求項１に係る発明によって奏する上述の効果をさらに良好に奏することができる。そして、請求項３に係る発明によれば、請求項１に係る発明によって奏する上述の効果を比較的簡単な構成でもって比較的良好に奏することができる。さらに、請求項４に係る発明によれば、第１の取り付け用凹部および第２の取り付け用凹部のそれぞれが、臥床架の外周囲の外側面に配設されているので、係合用突起部が臥床架の外周囲において係合用穴部と係合することになる。このために、ガード用壁部は、臥床架上に寝かせられている児の手、脚などでもって、外方、斜め外方などに向かって押されることがあっても、ほぼ上方に向かって往動するのを阻止されるので、この場合でも、臥床架から取り外されるようなことがない。
【００１２】
また、請求項５に係る発明によれば、第２の取り付け用突出部が臥床架の外側に向って不測に往動するのをほぼ確実に阻止することができる。そして、請求項６に係る発明によれば、ガード用壁部が外側に向って移動させられる可能性をさらに少なくすることができる。さらに、請求項７に係る発明によれば、請求項６に係る発明によって奏する上述の効果を比較的簡単な構成でもって比較的良好に奏することができる。
【００１３】
また、請求項８に係る発明によれば、前側、左側および右側のガード用壁部（換言すれば、内側壁部）が前側、左側、右側および後側のガード用外側壁部によってほぼ囲まれる空間に配設されているから、保育器の児収容空間に児を収容したときに、ガード用内側壁部とガード用外側壁部との両方によって児を確実にかつ安全に保育器に収容することが可能である。そして、請求項９に係る発明によれば、請求項１〜８のそれぞれに係る発明によって奏する効果を、比較的簡単な構成でもって、確実に奏することができる。
【図面の簡単な説明】
【００１４】
【図１】本発明を適用した一実施例における開放型保育器の通常使用状態での斜視図である。（実施例１）
【図２】図１に示す開放型保育器の児収容機構の、ほぼ前面から見た、前側で左側の角部の下方部分の付近の側面図である。（実施例１）
【図３Ａ】図２に示す壁部着脱用操作機構の、操作部材をまだ操作していない状態での部分的な横断面図である。（実施例１）
【図３Ｂ】図３Ａに示す壁部着脱用操作機構の、操作部材の第１の操作状態での図３Ａと同様の横断面図である。（実施例１）
【図３Ｃ】図３Ａに示す壁部着脱用操作機構の、操作部材の第２の操作状態での図３Ａと同様の横断面図である。（実施例１）
【図４】図１に示す開放型保育器の児収容機構の斜視図である。（実施例１）
【図５】図４に示す児収容機構の、前側および左側の外側壁部をそれぞれ開放した状態での斜視図である。（実施例１）
【図６】図４に示す児収容機構の、全部の外側壁部をいずれも省略しかつ前側、左側および右側の内側壁部のいずれをも臥床架から分離させた状態での分解斜視図である。（実施例１）
【図７】図６に示す内側壁部の第１の取り付け用突出部の付近の、第１の取り付け用突出部が臥床架に係合している状態を示す縦断面図である。（実施例１）
【図８】図６に示す内側壁部の第２の取り付け用突出部の付近の、第２の取り付け用突出部が臥床架に係合している状態を示す縦断面図である。（実施例１）
【図９】図６に示す内側壁部の第３の取り付け用突出部の付近の、第３の取り付け用突出部が臥床架に係合している状態を示す縦断面図である。（実施例１）
【図１０】図７に示す第１の取り付け用突出部の付近の、第１の取り付け用突出部が臥床架との係合を解除し始めた状態を示す縦断面図である。（実施例１）
【図１１】図６にそれぞれ示す第１の取り付け用突出部の付近および第１の取り付け用凹部の付近の拡大斜視図である。（実施例１）
【図１２】図６にそれぞれ示す第２の取り付け用突出部の付近および第２の取り付け用凹部の付近の拡大斜視図である。（実施例１）
【発明を実施するための形態】
【００１５】
つぎに、本発明を開放型保育器（いわゆる、インファントウオーマ）に適用した一実施例を、「１、保育器全体の概略的な説明」、「２、外側壁部構造の説明」、「３、内側壁部構造の構成の説明」および「４、内側壁部構造の動作の説明」に項分けして、図面を参照しつつ説明する。
【００１６】
１、保育器全体の概略的な説明
【００１７】
開放型保育器１１は、図１に示すように、車輪１２と主柱１３とがそれぞれ取り付けられている台車１４を備えている。具体的には、車輪１２は、台車１４の四隅の下方に取り付けられ、主柱１３は、台車１４上に取り付けられている。そして、主柱１３上には、保育器基台１５が配設されている。また、この保育器基台１５上には、図１、図２および図４に示すように、平面的に見てほぼ長方形状であってよい扁平な容器形状の臥床架（換言すれば、臥床台）１６が配設されている。さらに、この臥床架１６上には、新生児などの児をその上に寝かせることができるマットレス２１を配置することができる。なお、臥床架１６は、その全体をＡＢＳ樹脂などのプラスチック材料から構成されていてよい。
【００１８】
保育器基台１５上に取り付け固定されて配設されている臥床架１６には、図１、図２および図４に示すように、主柱１３に配設されている付属品支持用の支柱２２に隣接していて児の頭側の外側壁部を一般的に構成している外側壁部（換言すれば、外側のベビーガードまたはガード用外側壁部）２３と、児の脚側の外側壁部を一般的に構成している外側壁部（換言すれば、外側のベビーガードまたはガード用外側壁部）２４と、児の左側の外側壁部を一般的に構成している外側壁部（換言すれば、外側のベビーガードまたはガード用外側壁部）２５と、児の右側の外側壁部を一般的に構成している外側壁部（換言すれば、外側のベビーガードまたはガード用外側壁部）２６とが、平面的に見て全体としてほぼ長方形状になるように、それぞれ配設されている。また、臥床架１６（換言すれば、マットレス２１）と、それぞれほぼ長方形状であってよくかつほぼ透明であってよい外側壁部２３〜２６とによって、上面が開口しているほぼ直方体形状の児収容空間２７が構成されている。なお、左側の外側壁部２５と右側の外側壁部２６とは、互いにほぼ同一の寸法であってよい。そして、外側壁部２５、２６に較べてそれぞれの長さ方向（換言すれば、水平方向）における長さがそれぞれ多少小さい外側壁部２３と外側壁部２４とは、切り欠き形状の凹部３１が外側壁部２３の上辺部のほぼ中央部分から下辺部に向かって途中まで延在するように設けられていることを除いて、互いにほぼ同一の寸法であってよい。
【００１９】
図１に示す外側壁部２３〜２６のそれぞれは、そのほぼ全体をほぼ透明なポリカーボネート樹脂、アクリル樹脂などのプラスチックの弾性板状体から構成されていてよい。また、外側壁部２４〜２６のそれぞれは、図１および図２に示すようにほぼ上方に向ってほぼ直立した状態（以下、「上記直立状態」という。）における下辺側の部分の付近に配設されている左右両側または前後両側の回動支軸３２を回動中心として、図１に示す上記直立状態と、図５に示すほぼ下方に垂れ下がった状態（以下、「上記下垂状態」という。ただし、この図５においては、外側壁部２６は、上記直立状態で示されている。）との間を、往復回動可能なように構成されている。なお、図２および図３Ａ〜図３Ｃに示す回動支軸３２は、操作部材４７を往動操作することによって、図２および図３Ａに示す取り付け部材５２との係合状態から、図３Ｂに示す中間状態を経て、図３Ｃに示す取り付け部材５２との非係合状態まで往動することができる。また、回動支軸３２は、上記非係合状態の操作部材４７を復動操作することによって、上記往動操作の場合とは逆に、上記係合状態まで復動することができる。
【００２０】
臥床架１６の外周囲には、図５に示すように平面的に見て全体としてほぼＵ字形状になるように、この臥床架１６の外周囲に沿って内側壁部（換言すれば、ガード用壁部またはガード用内側壁部）３３、３４、３５がそれぞれ配設されている。なお、内側壁部３３〜３５のそれぞれは、そのほぼ全体をほぼ透明なポリカーボネート樹脂、アクリル樹脂などのプラスチックの弾性の板状体から構成されていてよい。そして、脚側の内側壁部（換言すれば、前側の内側壁部または前側のガード用壁部）３３は、臥床架１６の脚側の端部の付近からほぼ上方に向って突出するように、臥床架１６に着脱可能（換言すれば、着脱自在）に取り付けられていてよい。また、左側および右側の内側壁部（換言すれば、左側および右側のガード用壁部）３４、３５のそれぞれは、臥床架１６の左側および右側の端部のそれぞれからほぼ上方に向って突出するように、臥床架１６に着脱可能（換言すれば、着脱自在）に取り付けられていてよい。
【００２１】
外側壁部２３のうちの切欠き形状の凹部３１の部分と、この部分の左右両側の部分とのそれぞれには、図１および図５に示すように、ケーブル保持用の切れ目４１を有する適当な個数（この実施例においては、３個）のグロメット部材４２を取り付けることができる。そして、切れ目４１には、酸素供給用チューブなどの長手状部材（図示せず）がグロメット部材４２を貫通した状態でもって保持されることができる。また、付属品支持用の支柱２２の上端部には、赤外線加熱器４３が配設されている。さらに、付属品支持用支柱２２には、前方から見て赤外線加熱器４３と児収容空間２７との間にほぼ位置するように、体温用、ＳｐＯ２用などの各種の計測・制御手段４４が配設されている。具体的には、これらの計測・制御手段４４のうちの体温用制御手段は、児の体温を計測する体温プローブからの信号を入力して上記体温を表示したり、赤外線加熱器４３の加熱温度などを制御したりすることができるように、構成されている。
【００２２】
２、外側壁部構造の説明
【００２３】
外側壁部２３〜２６のそれぞれは、図１、図２、図５などに示すように、壁部本体４５と、これらの壁部本体４５のそれぞれのほぼ下端部がねじ止めなどによって固定されている支持部材４６とを備えている。そして、壁部本体４５のそれぞれのほぼ下端部４６の内側面のほぼ全面は、カバー部材５１によって被覆されている。また、外側壁部２３〜２６のそれぞれは、図１および図２に示すように、これらの外側壁部２３〜２６のそれぞれの支持部材４６の下端部の左右または前後の両側端部の付近において、一対の回動支軸３２によって取り付け部材５２に回動可能に取り付けられている。なお、取り付け部材５２のそれぞれは、臥床架１６のほぼ四隅にそれぞれ取り付け固定されている。そして、一対の連結部材５３のそれぞれは、外側壁部２３〜２６のほぼ水平方向における両側にそれぞれ配設されている取り付け部材５２の被係合部５４に着脱可能に係合されている。なお、外側壁部２３〜２６のそれぞれの壁部本体４５のうちの支持部材４６の上側面にほぼ上方から隣接する部分は、図１、図２などに示すように、縦断面がほぼ三角形状の肉厚部５５に構成されている。そして、この肉厚部５５は、壁部２３〜２６のそれぞれのほぼ水平方向（換言すれば、ほぼ長さ方向）におけるほぼ全長にわたって配設されている。したがって、汚水、塵埃などが壁部本体４５の下端部と支持部材４６との間や壁部本体４５の下端部とカバー部材５１との間に入り込むのを防止するために、肉厚部５５の厚み方向における両側部分のそれぞれの下端面の一方の側部は、支持部材４６のほぼ上面に当接するとともに、上記下端面の他方の側部は、カバー部材５１のほぼ上面に当接している。
【００２４】
外側壁部２３は、図１、図５などに示すように、この外側壁部２３が切欠き形状の凹部３１およびグロメット部材４２を有することを除いて、脚側の外側壁部２４とほぼ同一の形状であってよい。そして、左側の外側壁部２５は、右側の外側壁部２６とほぼ同一の形状であってよい。なお、外側壁部２３〜２６のそれぞれの支持部材４６の両端部には、４個の取り付け部材５２に対する逃げ部を構成するために、これらの取り付け部材５２に対応する部分に切欠き部５６がそれぞれ設けられている。したがって、支持部材４６のそれぞれのほぼ水平方向の長さが外側壁部２３〜２６の壁部本体４５のそれぞれのほぼ水平方向の長さよりも多少短く構成されている。そして、外側壁部２３〜２６の壁部本体４５の上記直立状態における左右両側または前後両側のそれぞれの下端部の付近にも、切欠き部５６にそれぞれ連なる切欠き部５７が設けられている。さらに、外側壁部２３〜２６のそれぞれは、図１および図４に示すように、上記直立状態においてほぼ平面的に見て、内側から外側に向って弧状に多少突出するように弯曲している。この場合、上記直立状態における外側壁部２３〜２６のそれぞれをほぼ平面的に見たときに、これらの外側壁部２３〜２６のそれぞれの長さ方向における中央部分は、径が比較的大きいほぼ円弧状（換言すれば、湾曲の程度が比較的小さいほぼ円弧状）であり、これら外側壁部２３〜２６のそれぞれの長さ方向における両端部分は、径が比較的小さいほぼ円弧状（換言すれば、湾曲の程度が比較的大きいほぼ円弧状）である。そして、外側壁部２３〜２６のそれぞれは、上記両端部分のうちの一端部分から上記中央部分を経て上記両端部分のうちの他端部分まで、角部をほぼ有していない連続した曲面体になっている。
【００２５】
脚側の外側壁部２４および左右両側の外側壁部２５、２６のそれぞれが、図１に示す上記直立状態から図５において外側壁部２４、２５について例示している上記下垂状態まで往回動させられるときには、外側壁部２４〜２６のそれぞれを復回動状態にロックしているロック手段（換言すれば、図２に示す連結部材５３および被係合部５４）によるロックをまず解除する。ついで、取扱者は、図２に示す一対の回動支軸３２をそれぞれ回動支点として外側壁部２４〜２６を必要に応じて往回動させることによって、外側壁部２４〜２６のそれぞれを上記直立状態から上記下垂状態まで往回動させることができる。なお、外側壁部２４〜２６のそれぞれの上記往回動は、上記往回動の回動速度を抑制することができるダンパ（図示せず）のダンパ機能によって低速で行われるようにすることもできる。そして、上記下垂状態の外側壁部２４〜２６のそれぞれを上記直立状態に復回動させるときには、取扱者は、外側壁部２４〜２６の一対の回動支軸３２を支点として、外側壁部２４〜２６のそれぞれを手動によって復回動させればよい。なお、上記直立状態における外側壁部２４〜２６のそれぞれの上端は、内側壁部３３〜３５のそれぞれの上端よりも高くて、ほぼ垂直方向における両者の高さの差Ｈ１（図１参照）は、図示の実施例においては、約８４．５ｍｍである。
【００２６】
３、内側壁部構造の構成の説明
【００２７】
脚側の内側壁部３３は、図５および図６に示すように、臥床架１６の脚側の端部の付近のほぼ全長にわたって延在していてよい。そして、左側の内側壁部３４は、臥床架１６の左側の端部の付近のほぼ全長にわたって延在していてよい。また、右側の内側壁部３５は、臥床架１６の右側の端部の付近のほぼ全長にわたって延在していてよい。さらに、内側壁部３３の左右両端部は、内側壁部３４、３５のそれぞれの前端部とは分離されているので、内側壁部３３〜３５のそれぞれは、個別の部品として構成されている。しかし、内側壁部３３の左右両端部は、内側壁部３４、３５の前端部と連結されていてもよい。この場合には、内側壁部３３〜３５が、全体として、ほぼＵ字形状の単一の枠体として構成されることができる。
【００２８】
内側の壁部３３〜３５のそれぞれは、図５および図６に示すように、下方に向ってそれぞれ突出しかつそれぞれほぼ逆Ｌ字形状であってよい例えば５つの取り付け用突出部６１、６２ａ、６２ｂ、６３ａ、６３ｂを具備することができる。具体的には、内側壁部３３〜３５のそれぞれには、その外側面においてその下方に向って突出している例えば３つの取り付け用突出部６１、６２ａ、６２ｂが、一体成形などによって配設されている。また、内側壁部３３〜３５のそれぞれには、その内側面においてその下方に向って突出している例えば２つの取り付け用突出部６３ａ、６３ｂが、一体成形などによって配設されている。そして、内側壁部３３〜３５が臥床架１６の側壁部６４に取り付けられたときには、内側壁部３３〜３５の突出部６１、６２ａ、６２ｂのそれぞれが、臥床架１６の側壁部６４の外側面に当接するとともに、内側壁部３３〜３５の突出部６３ａ、６３ｂのそれぞれが、臥床架１６の側壁部６４の内側面に当接する。このために、側壁部６４が突出部６１、６２ａ、６２ｂと突出部６３ａ、６３ｂとによって内外両側から挟み込まれるので、内側壁部３３〜３５のそれぞれが、臥床架１６の側壁部６４に着脱可能（換言すれば、着脱自在）に取り付け固定される。なお、突出部６１、６２ａ、６２ｂ、６３ａ、６３ｂのそれぞれの下端は、臥床架１６に接触していてもよいが、このように接触している必要性は特にないので、臥床架１６に接触していなくてよい。
【００２９】
具体的には、第１の取り付け用突出部６１は、図６、図７および図１１に示すように、ほぼ逆Ｌ字状の断面（換言すれば、ほぼ水平な部分６８および下垂部６６）を有している。そして、突出部６１は、脚側、左側および右側の内側壁部３３〜３５のそれぞれの内側壁部本体６５の長さ方向におけるほぼ中央部分のほぼ下端に、この内側壁部本体６５と一体的にまたはこの内側壁部本体６５とは別体に、形成されていてよい。また、これらの突出部６１の下垂部６６のそれぞれには、係合用穴部としての貫通孔７１または凹部が形成されている。なお、図示の実施例においては、貫通孔７１が形成されているが、上記凹部が形成される場合には、この凹部は、突出部６１の内側面に形成される必要がある。そして、臥床架１６の側壁部６４の外側面には、脚側、左側および右側の内側壁部３３〜３５のそれぞれの突出部６１にそれぞれ対向するように、第１の取り付け用凹部７２がそれぞれ形成されている。また、この第１の取り付け用凹部７２には、貫通孔７１に係合することができる係合用突起部７７が突設されている。
【００３０】
第２の取り付け用突出部６２ａ、６２ｂは、図６、図７および図１２に示すように、ほぼ逆Ｌ字状の断面（換言すれば、ほぼ水平な部分７４および下垂部７５）を有している。そして、突出部６２ａ、６２ｂは、脚側、左側および右側の内側壁部３３〜３５のそれぞれの内側壁部本体６５の長さ方向における左右両側または前後両側に、突出部６１とほぼ同様にして形成されていてよい。また、これらの突出部６２ａ、６２ｂの下垂部７５のそれぞれの左右両側または前後両側の端部には、段部６７がそれぞれ形成されている。そして、臥床架１６の側壁部６４の外側面には、脚側、左側および右側の内側壁部３３〜３５のそれぞれの突出部６２ａ、６２ｂにそれぞれ対応するように、第２の取り付け用凹部７３ａ、７３ｂがそれぞれ形成されている。また、第２の取り付け用の凹部７３ａ、７３ｂのそれぞれの外側面には、突出部６２ａ、６２ｂの下垂部７５のそれぞれにほぼ対応して、くびれ部７６が形成されている。このために、第２の取り付け用凹部７３ａ、７３ｂのそれぞれは、第２の取り付け用突出部６２ａ、６２ｂが第２の取り付け用凹部７３ａ、７３ｂから離脱するのを防止することができるくびれ部７６を有することを除いて、第１の取り付け用凹部７２とほぼ同形に構成されている。
【００３１】
第３の取り付け用突出部６３ａ、６３ｂは、図５、図６および図９に示すように、ほぼ逆Ｌ字状の断面（換言すれば、ほぼ水平な部分８１および下垂部８２）を有している。そして、突出部６３ａ、６３ｂは、脚側、左側および右側の内側壁部３３〜３５のそれぞれの内側壁部本体６５の長さ方向における左右両側または前後両側（具体的には、第１の取り付け用突出部６１と第２の取り付け用突出部６２ａ、６２ｂとのほぼ中間の位置）にそれぞれ形成されていてよい。また、ほぼ逆Ｌ字状の断面を有する突出部６３ａ、６３ｂのほぼ水平な部分８１のそれぞれは、側壁部６４の上面に当接している。さらに突出部６３ａ、６３ｂの下垂部８２は、臥床架１６の側壁部６４の内側面に当接している。
【００３２】
４、内側壁部構造の動作の説明
【００３３】
内側壁部３３〜３５のそれぞれが、図５に示すように、臥床架１６の側壁部６４の前側の部分、左側の部分および右側の部分にそれぞれ取り付けられるときには、内側壁部３３〜３５のそれぞれを、図６に示すように、臥床架１６のほぼ上方からほぼ下方に向かって移動させればよい。この場合、内側壁部３３〜３５のそれぞれの第１の取り付け用突出部６１および第２の取り付け用突出部６２ａ、６２ｂのそれぞれが、図５、図７、図８などに示すように、第１の取り付け用凹部７２および第２の取り付け用凹部７３ａ、７３ｂのそれぞれに係合（換言すれば、嵌合）する。これとともに、内側壁部３３〜３５のそれぞれの第３の取り付け用突出部６３ａ、６３ｂのそれぞれが、図５、図９などに示すように、臥床架１６の側壁部６４の前側の部分、左側の部分および右側の部分のそれぞれに当接する。このために、臥床架１６の側壁部６４が、内側壁部３３〜３５のそれぞれの第１および第２の取り付け用突出部６１、６２ａ、６２ｂと、第３の取り付け用突出部６３ａ、６３ｂとの間に挟み込まれるので、内側壁部３３〜３５のそれぞれが、側壁部６４に取り付け固定される。
【００３４】
具体的には、内側壁部３３〜３５のそれぞれの第１の取り付け用突出部６１が、側壁部６４の上面および外側面（換言すれば、第１の取り付け用凹部７２の側面）にそれぞれ当接する。そして、このときには、臥床架１６の第１の取り付け用凹部７２の係合用突起部７７のそれぞれが第１の取り付け用突出部６１の貫通孔７１のそれぞれに相対的に係合する。また、内側壁部３３〜３５の第２の取り付け用突出部６２ａ、６２ｂのそれぞれが、くびれ部７６によって図８における右方への抜け出しを防止された状態でもって、第２の取り付け用凹部７３ａ、７３ｂのそれぞれに係合する。さらに、内側壁部３３〜３５の第３の取り付け用突出部６３ａ、６３ｂのそれぞれが、側壁部６４の内側面のそれぞれに当接する。したがって、内側壁部３３〜３５のそれぞれが、図５などに示すように、臥床架１６に正確にかつ確実に取り付けられることができる。
【００３５】
図５に示すように臥床架１６上に配置されているマットレス２１上に新生児などの児を寝かせた状態において、児が例えば左側の内側壁部３４の内側面を児の手または脚で外方や斜め外方に向かって押すことがある。しかし、この場合には、臥床架１６の第２の取り付け用凹部７３ａ、７３ｂのそれぞれがくびれ部７６を有しているために、内側壁部３４の前後一対の第２の取り付け用突出部６２ａ、６２ｂが臥床架１６の外側に向かって往動するのを阻止される。また、下垂部８２が側壁部６４の内側面に強く当接するので、内側壁部本体６５が臥床架１６の外側に向かって往動するのが、さらに良好に阻止される。これとともに、臥床架１６の第１の取り付け用凹部７２に設けられている突起部７７が内側壁部３４の貫通孔７１に係合しているために、内側壁部３４の第１の取り付け用突出部６１がほぼ上方に向かって往動するのも阻止される。したがって、児が左側の内側壁部３４の内側面を外方に押した場合や、斜め上方でかつ外方に押した場合にも、左側の内側壁部３４が児によって外方や斜め外方に移動させられる恐れが特にない。
【００３６】
取扱者が、図６などに示すように、内側壁部３３〜３５のうちの例えば左側の内側壁部３４を臥床架１６から取り外したいときには、取扱者は、手などで内側壁部３４の内側壁部本体６５の長さ方向における中央部の付近（換言すれば、第１の取り付け用突出部６１よりも或る程度上方の部分）を掴んでから、図１０に示すように、内側壁部３４をほぼ内側に向かって多少とも傾斜させればよい。この場合、臥床架１６の係合用突起部７７が内側壁部３４の貫通孔７１から相対的に抜け出すので、内側壁部本体６５をほぼ上方に引っ張り上げることによって、内側壁部３４を臥床架１６から取り外すことができる。そして、この取り外しにおいては、内側壁部３４の第２の取り付け用突出部６２ａ、６２ｂのそれぞれを、臥床架１６の第２の取り付け用凹部７３ａ、７３ｂのそれぞれから、同時に取り外すことができる。この場合、下垂部８２は、側壁部６４からほぼ内側に向かって押されるだけであるから、上記取り外しに特に支障を生じる恐れはない。
【００３７】
以上、本発明の一実施例について詳細に説明したが、本発明は、この実施例に限定されるものではなく、特許請求の範囲に記載されている発明の趣旨に基づいて各種の変更および修正が可能である。
【００３８】
例えば、上述の実施例においては、本発明を開放型保育器に適用している。しかし、本発明は、開放型保育器だけでなく、閉鎖型兼用の開放型保育器や閉鎖型保育器にも適用することができる。なお、閉鎖型兼用の開放型保育器に適用した場合には、児収容空間２７を上方から選択的に覆うことができかつほぼ上下動が可能であるほぼ箱蓋形状の天面フードが設けられることができる。そして、上記天面フードが、ほぼ透明であってよい天面部と、この天面部の外周囲付近からほぼ下方に向って突出していてほぼ透明であってよくかつ平面的に見てほぼ長方形状である外側壁部とから構成されることができる。また、上記天面フードが上昇しているときには、児収容空間２７の上面が開放されることによって、保育器が開放型保育器になるとともに、上記天面フードが下降しているときには、児収容空間２７の上面が閉塞されることによって、保育器が閉鎖型保育器になるように構成されることができる。
【００３９】
また、上述の実施例においては、臥床架１６が平面的に見てほぼ長方形状に構成されている。しかし、臥床架１６は、平面的に見てほぼ円形状、ほぼ楕円形状、ほぼ長円形状などに構成されていてもよく、また、平面的に見てほぼ長方形状以外のほぼ多角形状などに構成されていてもよい。
【００４０】
また、上述の実施例においては、貫通孔７１を第１の取り付け用突出部６１に設けるとともに、係合用突起部７７を第１の取り付け用凹部７２に設けた。しかし、係合用突起部７７を第１の取り付け用突出部６１に設けるとともに、貫通孔７１に相当する凹部を第１の取り付け用凹部７２に設けることもできる。
【００４１】
さらに、上述の実施例においては、内側壁部として、３つの内側壁部３３〜３５が設けられている。しかし、これら３つの脚側、右側および左側の内側壁部３３〜３５に加えて、頭側の内側壁部も必要に応じて設けられることができる。
【符号の説明】
【００４２】
１１        開放型保育器（保育器）
１６        臥床架
２３        頭側の外側壁部（後側のガード用外側壁部）
２４        脚側の外側壁部（前側のガード用外側壁部）
２５        左側の外側壁部（左側のガード用外側壁部）
２６        右側の外側壁部（右側のガード用外側壁部）
３３        脚側の内側壁部（前側のガード用壁部）
３４        左側の内側壁部（左側のガード用壁部）
３５        右側の内側壁部（右側のガード用壁部）
６１        第１の取り付け用突出部
６２ａ      第２の取り付け用突出部
６２ｂ      第２の取り付け用突出部
６３ａ      第３の取り付け用突出部
６３ｂ      第３の取り付け用突出部
６４        側壁部
７１        貫通孔（穴部、係合用穴部）
７２        第１の取り付け用凹部
７３ａ      第２の取り付け用凹部
７３ｂ      第２の取り付け用凹部
７６        くびれ部
７７        係合用突起部
８２        下垂部
【図１】
2017093501.tif 000003
【図２】
2017093501.tif 000004
【図３Ａ】
2017093501.tif 000005
【図３Ｂ】
2017093501.tif 000006
【図３Ｃ】
2017093501.tif 000007
【図４】
2017093501.tif 000008
【図５】
2017093501.tif 000009
【図６】
2017093501.tif 000010
【図７】
2017093501.tif 000011
【図８】
2017093501.tif 000012
【図９】
2017093501.tif 000013
【図１０】
2017093501.tif 000014
【図１１】
2017093501.tif 000015
【図１２】
2017093501.tif 000016
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
その上に児を寝かせることができる臥床架と、上記臥床架の外周囲の付近の少なくとも一部分を囲むことができる少なくとも１つのガード用壁部とを備え、
上記ガード用壁部の少なくとも１つが、少なくとも１つの第１の取り付け用突出部と、少なくとも１つの第２の取り付け用突出部とを備え、
上記臥床架が、上記少なくとも１つの第１の取り付け用突出部を係合させるための少なくとも１つの第１の取り付け用凹部と、上記少なくとも１つの第２の取り付け用突出部を係合させるための少なくとも１つの第２の取り付け用凹部とを備え、
上記少なくとも１つのガード用壁部が、前側のガード用壁部、左側のガード用壁部および右側のガード用壁部であると共に上記前側のガード用壁部よりも外側に設けられた前側のガード用外側壁部と、上記左側のガード用壁部よりも外側に設けられた左側のガード用外側壁部と、上記右側のガード用壁部よりも外側に設けられた右側のガード用外側壁部と、上記前側のガード用外側壁部、上記左側のガード用外側壁部および上記右側のガード用外側壁部と共同して、ほぼ直方体形状の児収容空間を構成することができる後側のガード用外側壁部とをさらに備え、
上記前側のガード用壁部、左側のガード用壁部および右側のガード用壁部のそれぞれが、上記前側のガード用外側壁部、上記左側のガード用外側壁部および上記右側のガード用外側壁部のそれぞれの内側に設けられ、
上記第１の取り付け用突出部と、上記第１の取り付け用突出部を係合させるための上記第１の取り付け用凹部とのうちのいずれか一方に、係合用突起部が設けられるとともに、
他方に、上記係合用突起部を係合させることができる係合用穴部が設けられていると共に上記前側のガード用外側壁部、上記左側のガード用外側壁部および上記右側のガード用外側壁部のそれぞれが、ほぼ上方に向ってほぼ直立した状態と、ほぼ上方に向ってほぼ直立していない状態との間を個別に往復回動することができるように構成されていることを特徴とする保育器。
【請求項２】
上記少なくとも１つの第１の取り付け用突出部が、１つであり、
上記少なくとも１つの第１の取り付け用凹部が、１つであり、
上記少なくとも１つの第２の取り付け用突出部が２つであり、
上記少なくとも１つの第２の取り付け用凹部が、２つであることを特徴とする請求項１に記載の保育器。
【請求項３】
上記第１の取り付け用凹部および上記第２の取り付け用凹部のそれぞれが、上記臥床架の外周囲の外側面に配設されていることを特徴とする請求項１または２に記載の保育器。
【請求項４】
上記少なくとも１つの第２の取り付け用突出部が上記第２の取り付け用凹部からほぼ側方に向かって抜け出すのを防止するためのくびれ部が、上記第２の取り付け用凹部に設けられていることを特徴とする請求項１〜３のうちのいずれか１つに記載の保育器。
【請求項５】
上記臥床架が、側壁部を備え、
上記側壁部の内側面に当接させることができる下垂部を有する少なくとも１つの第３の取り付け用突出部をさらに備えていることを特徴とする請求項１〜４のうちのいずれか１つに記載の保育器。
【請求項６】
上記少なくとも１つの第３の取り付け用突出部が、２つであることを特徴とする請求項５に記載の保育器。
【請求項７】
上記保育器が、開放型保育器であることを特徴とする請求項１〜６のうちのいずれか１つに記載の保育器。
【手続補正２】
【補正対象書類名】明細書
【補正対象項目名】０００５
【補正方法】変更
【補正の内容】
【０００５】
本発明は、その上に児を寝かせることができる臥床架と、上記臥床架の外周囲の付近の少なくとも一部分を囲むことができる少なくとも１つのガード用壁部とを備え、上記ガード用壁部の少なくとも１つが、少なくとも１つの第１の取り付け用突出部と、少なくとも１つの第２の取り付け用突出部とを備え、上記臥床架が、上記少なくとも１つの第１の取り付け用突出部を係合させるための少なくとも１つの第１の取り付け用凹部と、上記少なくとも１つの第２の取り付け用突出部を係合させるための少なくとも１つの第２の取り付け用凹部とを備え、上記少なくとも１つのガード用壁部が、前側のガード用壁部、左側のガード用壁部および右側のガード用壁部であると共に上記前側のガード用壁部よりも外側に設けられた前側のガード用外側壁部と、上記左側のガード用壁部よりも外側に設けられた左側のガード用外側壁部と、上記右側のガード用壁部よりも外側に設けられた右側のガード用外側壁部と、上記前側のガード用外側壁部、上記左側のガード用外側壁部および上記右側のガード用外側壁部と共同して、ほぼ直方体形状の児収容空間を構成することができる後側のガード用外側壁部とをさらに備え、上記前側のガード用壁部、左側のガード用壁部および右側のガード用壁部のそれぞれが、上記前側のガード用外側壁部、上記左側のガード用外側壁部および上記右側のガード用外側壁部のそれぞれの内側に設けられ、上記第１の取り付け用突出部と、上記第１の取り付け用突出部を係合させるための上記第１の取り付け用凹部とのうちのいずれか一方に、係合用突起部が設けられるとともに、他方に、上記係合用突起部を係合させることができる係合用穴部が設けられていると共に上記前側のガード用外側壁部、上記左側のガード用外側壁部および上記右側のガード用外側壁部のそれぞれが、ほぼ上方に向ってほぼ直立した状態と、ほぼ上方に向ってほぼ直立していない状態との間を個別に往復回動することができるように構成されていることを特徴とする保育器に係るものである。
【手続補正３】
【補正対象書類名】明細書
【補正対象項目名】０００６
【補正方法】変更
【補正の内容】
【０００６】
また、本発明は、その第１の観点においては、上記少なくとも１つの第１の取り付け用突出部が、１つであり、上記少なくとも１つの第１の取り付け用凹部が、１つであり、上記少なくとも１つの第２の取り付け用突出部が２つであり、上記少なくとも１つの第２の取り付け用凹部が、２つである。
【手続補正４】
【補正対象書類名】明細書
【補正対象項目名】０００７
【補正方法】変更
【補正の内容】
【０００７】
また、本発明は、その第２の観点においては、上記第１の取り付け用凹部および上記第２の取り付け用凹部のそれぞれが、上記臥床架の外周囲の外側面に配設されている。そして、本発明は、その第３の観点においては、上記少なくとも１つの第２の取り付け用突出部が上記第２の取り付け用凹部からほぼ側方に向かって抜け出すのを防止するためのくびれ部が、上記第２の取り付け用凹部に設けられている。さらに、本発明は、その第４の観点においては、上記臥床架が、側壁部を備え、上記側壁部の内側面に当接させることができる下垂部を有する少なくとも１つの第３の取り付け用突出部をさらに備えている。さらに、本発明は、上記第４の観点の第１の態様においては、上記少なくとも１つの第３の取り付け用突出部が、２つである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
さらに、本発明は、その第５の観点においては、上記保育器が、開放型保育器である。
【手続補正７】
【補正対象書類名】明細書
【補正対象項目名】００１０
【補正方法】変更
【補正の内容】
【００１０】
請求項１に係る発明によれば、臥床架上に寝かされている児が自分の手で少なくとも１つのガード用壁部を内側から外側に向って押しても、上記ガード用壁部が外側に向って移動させられる恐れが特にない。したがって、児が上記ガード用壁部を倒すことによって、自分の腕や脚を臥床架から食み出させたり、児が臥床架から食み出しすぎて保育器の外側に落下したりする恐れが特にない。また、前側、左側および右側のガード用壁部（換言すれば、内側壁部）が前側、左側、右側および後側のガード用外側壁部によってほぼ囲まれる空間に配設されているから、保育器の児収容空間に児を収容したときに、ガード用内側壁部とガード用外側壁部との両方によって児を確実にかつ安全に保育器に収容することが可能である。
【手続補正８】
【補正対象書類名】明細書
【補正対象項目名】００１１
【補正方法】変更
【補正の内容】
【００１１】
そして、請求項２に係る発明によれば、請求項１に係る発明によって奏する上述の効果を比較的簡単な構成でもって比較的良好に奏することができる。さらに、請求項３に係る発明によれば、第１の取り付け用凹部および第２の取り付け用凹部のそれぞれが、臥床架の外周囲の外側面に配設されているので、係合用突起部が臥床架の外周囲において係合用穴部と係合することになる。このために、ガード用壁部は、臥床架上に寝かせられている児の手、脚などでもって、外方、斜め外方などに向かって押されることがあっても、ほぼ上方に向かって往動するのを阻止されるので、この場合でも、臥床架から取り外されるようなことがない。
【手続補正９】
【補正対象書類名】明細書
【補正対象項目名】００１２
【補正方法】変更
【補正の内容】
【００１２】
また、請求項４に係る発明によれば、第２の取り付け用突出部が臥床架の外側に向って不測に往動するのをほぼ確実に阻止することができる。そして、請求項５に係る発明によれば、ガード用壁部が外側に向って移動させられる可能性をさらに少なくすることができる。さらに、請求項６に係る発明によれば、請求項５に係る発明によって奏する上述の効果を比較的簡単な構成でもって比較的良好に奏することができる。
【手続補正１０】
【補正対象書類名】明細書
【補正対象項目名】００１３
【補正方法】変更
【補正の内容】
【００１３】
そして、請求項７に係る発明によれば、請求項１〜６のそれぞれに係る発明によって奏する効果を、比較的簡単な構成でもって、確実に奏することができる。